(57)【要約】【目的】ガタツキなく化粧瓦棒２０を取り付けることにより耐久性を向上させ、横葺き金属屋根にアクセントをつける。【構成】化粧瓦棒２０を横葺き金属屋根に取り付ける取付金具１０は、棟側金属屋根板３０Ｕと軒側金属屋根板３０Ｄとの連結部に差込片１２が挿し込まれ、棟側金属屋根板３０Ｕの軒側端面３５に当接部１１が固定され、棟側金属屋根板３０Ｕの軒側端部と同じ高さで当接部１１の幅方向両側から取付片１３Ｒ，１３Ｌが棟側に延びている。化粧瓦棒２０は、底部が開放された筒状で、両側壁２１Ｒ，２１Ｌが内側に折り曲げられて着座部２２Ｒ，２２Ｌになっており、両側壁２１Ｒ，２１Ｌが取付金具１０の両取付片１３Ｒ，１３Ｌにそれぞれ固定される。取付片１３Ｒ，１３Ｌと棟側金属屋根板３０Ｕとの狭間隙で着座部２２Ｒ，２２Ｌが挟持されるため、横葺き金属屋根に装着された化粧瓦棒２０の遊びが少なくなる。【選択図】        図４
2004197499.tif 000002
【特許請求の範囲】
【請求項１】
取付金具を用いて化粧瓦棒を横葺き金属屋根に取り付けた構造であり、
取付金具は、棟側金属屋根板と軒側金属屋根板の連結部に差込片が挿し込まれ、棟側金属屋根板の軒側端面に当接部が固定され、棟側金属屋根板の軒側端部と同じ高さで当接部の幅方向両側から取付片が棟側に延び、
化粧瓦棒は、底部が開放された筒状の両側壁が取付金具の両取付片にそれぞれ固定され、両側壁から内側に折り曲げられた着座部が棟側金属屋根板と取付片との狭間隙に位置することを特徴とする横葺き屋根用化粧瓦棒取付構造。
【発明の詳細な説明】
【０００１】
【産業上の利用分野】
本発明は、横葺きの金属屋根に化粧瓦棒を取り付けてアクセントをつけた化粧瓦棒取付構造に関する。
【０００２】
【従来技術及び問題点】
金属屋根は、比較的軽量であるため下地の骨組み構造体に加わる負荷が小さく、釘やビスを使用して簡単に結合できることから、一般家屋，公共施設等の各種建築物で使用されている。金属屋根を用いる屋根葺では、所定のサイズに成形された単位屋根板を使用することから横葺き工法が多用されている。
構築された横葺き屋根は、単体の金属屋根板が軒先から棟にかけて多段に配置されたフラットな屋根傾斜面を呈し、意匠性に欠ける嫌いがある。そこで、横葺き屋根にアクセントを付けて意匠性を改善するため、棟から軒先に延びる化粧瓦棒を取り付けることが検討されている。
【０００３】
横葺き金属屋根は、主として平坦な傾斜面になっており、化粧瓦棒の取付けに使用される突起等がない。金属屋根板の一部を切り起こして取付け部を形成し、或いは溶接，接着等で化粧瓦棒を取り付けることも考えられるが、何れも作業性が悪く、実用的でない。
横葺き金属屋根への化粧瓦棒の取付けを容易にするため、本発明者は、化粧瓦棒の両側壁を固定する取付片をもつ化粧瓦棒取付金具を特許第3223175号で紹介している。紹介した化粧瓦棒取付金具を使用すると、棟側金属屋根板の係合部と軒側金属屋根板の係止部との間で差込片を挟持することにより、化粧瓦棒を容易に且つ強固に必要個所へ固定できる。
【０００４】
【課題を解決するための手段】
本発明は、先に提案した化粧瓦棒取付金具を更に改良し、金属屋根板に化粧瓦棒を強固に取り付けることにより化粧瓦棒の安定性を向上させ、アクセントをつけた横葺き金属屋根を提供することを目的とする。
【０００５】
本発明は、取付金具で化粧瓦棒を横葺き金属屋根に取り付けた構造を対象としている。取付金具は、棟側金属屋根板と軒側金属屋根板の連結部に差込片が挿し込まれ、棟側金属屋根板の軒側端面に当接部が固定され、棟側金属屋根板の軒側端部と同じ高さで当接部の幅方向両側から取付片が棟側に延びている。化粧瓦棒は、底部が開放された筒状の両側壁が取付金具の両取付片にそれぞれ固定され、両側壁から内側に折り曲げられた着座部が棟側金属屋根板と取付片との狭間隙に位置している。
【０００６】
【実施の形態】
本発明で使用する化粧瓦棒取付金具１０は、ほぼＴ字型の当接部１１の下端が棟側に曲げられた差込片１２となり、当接部１１の両側端部が棟側に曲げられた取付片１３Ｒ，１３Ｌになっている（図１）。当接部１１は、化粧瓦棒２０の側壁２１Ｒ，２１Ｌ（図２）に取付片１３Ｒ，１３Ｌが内側から面接触する幅に設定されている。取付片１３Ｒ，１３Ｌは、軒側金属屋根板３０Ｄと棟側金属屋根板３０Ｕとの間に生じる段差Ｈ（図４）に等しい差込片１２からの高さＨで棟側に延びている。
【０００７】
差込片１２の棟側端部には、差込片１２の挿込みを容易にするため、若干上方に傾斜した差込部１４が形成されている。取付片１３Ｒ，１３Ｌには、軒棟方向に長い長孔１５Ｒ，１５Ｌが穿設されている。当接部１１に中心位置を表示するマーク１６が刻印されており、マーク１６の両側に水抜き孔１７Ｒ，１７Ｌが穿設されている。必要に応じて防水接着テープ１８がマーク１６の下方位置に貼付され、取付金具１０を棟側金属屋根板３０Ｕの軒側端面３５（図４）に固着する取付孔１９が当接部１１に穿設されている。
【０００８】
取付金具１０で金属屋根に装着される化粧瓦棒２０は、金属切板を半円筒状に成形することにより作製され、取付金具１０の取付片１３Ｒ，１３Ｌそれぞれに固着される側壁２１Ｒ，２１Ｌの下端が内側に折り曲げられて着座部２２Ｒ，２２Ｌになっている。図２の化粧瓦棒２０は、長手方向に関して一つの平坦面に着座部２２Ｒ，２２Ｌを形成しているが、横葺き金属屋根の各段に対応する段付き状の着座部２２Ｒ，２２Ｌ（図６ｃ）を形成しても良い。
【０００９】
側壁２１Ｒ，２１Ｌの下部には、軒棟方向に複数の化粧瓦棒２０を連結するため、連結ボルト挿入用のボルト孔２３Ｒ，２３Ｌが長手方向両端近傍に形成されている。長手方向両端近傍以外にも、複数の取付孔２４Ｒ，２４Ｌが化粧瓦棒２０の長手方向に沿って所定のピッチで側壁２１Ｒ，２１Ｌに形成されている。長手方向に隣り合う取付孔２４Ｒ，２４Ｌのピッチは、金属屋根板の働き長さの整数倍に設定されている。ボルト孔２３Ｒ，２３Ｌを取付孔２４Ｒ，２４Ｌに兼用できる。側壁２１Ｒ，２１Ｌを取付片１３Ｒ，１３Ｌに固着する際に穿孔機能のある工具を使用する場合、取付孔２４Ｒ，２４Ｌを省略することも可能である。
【００１０】
化粧瓦棒２０が装着される横葺き金属屋根は、棟側金属屋根板３０Ｕの係合部３１に軒側金属屋根板３０Ｄの係止部３２を噛み合わせることにより、軒棟方向に沿って野地板３３上に金属屋根板を多段配置している（図４）。係合部３１は棟側金属屋根板３０Ｕの軒側端部を袋状に折り返すことにより成形され、係止部３２は軒側金属屋根板３０Ｄの軒側端部を曲げ加工して係合部３１に噛み合う形状に成形されている。
【００１１】
軒側金属屋根板３０Ｄを釘，ビス，ボルト等で野地板３３に固定した後、係止部３２に棟側金属屋根板３０Ｕの係合部３１を噛み合わせ、軒側金属屋根板３０Ｄに棟側金属屋根板３０Ｕを連結する。棟側金属屋根板３０Ｕを野地板３３に固定した後、一段上の棟側金属屋根板を同様に連結固定する。順次同様な手順で軒から棟にかけて金属屋根板を多段に葺き上げることにより、横葺き金属屋根が構築される。金属屋根板の敷設に先立って下葺き材３４を野地板３３上に張ったり、吊り子３７で軒側金属屋根板３０Ｄを固定する場合もある。
【００１２】
葺き上げられた金属屋根板に化粧瓦棒２０を取り付ける際、取付金具１０の差込片１２を軒側金属屋根板３０Ｄと棟側金属屋根板３０Ｕとの連結部に挿し込み、所定位置に設定する。このとき、横葺き屋根の傾斜面の棟から軒先にかけて罫書き線を引いておき、罫書き線にマーク１６を位置合せすると、屋根傾斜面に設けられた複数の取付金具１０が直線上に配列する。
軒側金属屋根板３０Ｄと棟側金属屋根板３０Ｕとの間の連結部に差込片１２を挿し込んだとき、若干上向きに傾斜した差込部１４が軒側金属屋根板３０Ｄの係止部３２に噛み込まれる。また、防水接着テープ１８を介して当接部１１が棟側金属屋根板３０Ｕの軒側端面３５に接着される。この状態で当接部１１及び軒側端面３５をブラインドリベット３６で固着するとき、軒側金属屋根板３０Ｄに取付金具１０が位置精度良く強固に取り付けられる。
【００１３】
取付金具１０は、化粧瓦棒２０の側壁２１Ｒ，２１Ｌに形成した隣り合う取付孔２４Ｒ，２４Ｌ間のピッチに等しい間隔で軒棟方向の罫書き線に沿って複数配置・固定される。取付金具１０を装着した棟側金属屋根板３０Ｕ，軒側金属屋根板３０Ｄ上に化粧瓦棒２０を配置すると、取付金具１０の長孔１５Ｒ，１５Ｌに化粧瓦棒２０の取付孔２４Ｒ，２４Ｌが一致する。なお、化粧瓦棒２０の内側に補強下地２７を必要に応じて介在させると、化粧瓦棒２０の変形が防止される。補強下地２７は、化粧瓦棒２０と同様な形状に金属切板を成形することにより用意される。
【００１４】
化粧瓦棒２０の軒棟方向に関する多少のズレは、軒棟方向に長い長孔１５Ｒ，１５Ｌで吸収される。次いで、取付孔２４Ｒ，２４Ｌ及び長孔１５Ｒ，１５Ｌにブラインドリベット２６Ｒ，２６Ｌ（図３）を挿し通し、取付片１３Ｒ，１３Ｌに左右の側壁２１Ｒ，２１Ｌを固定する。軒先側に取り付けられた化粧瓦棒２０の棟側端部に棟側化粧瓦棒２０の軒先端部を重ね合せ、ボルト孔２３Ｒ，２３Ｌに挿通したボルトで相互に連結し、同様な取付金具１０を介して金属屋根板に取り付けることにより、軒先から棟にかけて直線状に延びた化粧瓦棒が設けられる（図５）。
【００１５】
取付金具１０の取付片１３Ｒ，１３Ｌは、軒側金属屋根板３０Ｄと棟側金属屋根板３０Ｕとの間の段差Ｈに等しい高さ位置から棟方向に延びて化粧瓦棒２０内に収まっているので、外部から取付金具１０が観察されず見栄えが良い。
また、差込片１２から取付片１３Ｒ，１３Ｌの下端までの高さＨを段差Ｈに等しく設定しているため、化粧瓦棒２０が装着された状態では取付片１３Ｒ，１３Ｌの下端が着座部２２Ｒ，２２Ｌに接触し、或いは着座部２２Ｒ，２２Ｌの極近傍に位置する。その結果、取付片１３Ｒ，１３Ｌと着座部２２Ｒ，２２Ｌとの間で遊びが少なくブレが取付片１３Ｒ，１３Ｌで規制され、化粧瓦棒２０と軒側金属屋根板３０Ｄとの間に隙間Ｇがあるにも拘らず、化粧瓦棒２０の取付状態が安定化する。
【００１６】
更に、ブラインドリベット３６による固着部に関し化粧瓦棒２０の挟持部及び差込部１４の噛込み部が同じ側にあるため、取付片１３Ｒ，１３Ｌが軒側に延びている取付金具１０と比較して、化粧瓦棒２０が浮き上がらせる風圧が加わった場合に受ける回転モーメントが小さい。そのため、棟側金属屋根板３０Ｕの軒側端面３５の変形が少なく、係合部３１と係止部３２の噛合い状態が長期にわたって維持され、取付金具１０の抜落ちや化粧瓦棒２０のガタツキが防止される。
【００１７】
以上の例では、半円筒形状の化粧瓦棒２０を使用しているが、本発明はこれに拘束されるものではなく、断面が矩形状（図６ａ）や将棋駒状（図６ｂ），の化粧瓦棒２０も使用できる。或いは、横葺き金属屋根の段差に対応する段差を着座部２２Ｒ，２２Ｌにつけた化粧瓦棒２０（図６ｃ）を使用しても良い。補強下地２７を化粧瓦棒２０の内側に介装させる場合には、それぞれ化粧瓦棒２０の形状に対応して矩形状，将棋駒状の断面、或いは段差の付いた形状の補強下地２７を使用する。段差を着座部２２Ｒ，２２Ｌにつけた化粧瓦棒２０では、更に棟側金属屋根板３０Ｕ，軒側金属屋根板３０Ｄとの隙間に挿し込まれる突起を段差付き着座部２２Ｒ，２２Ｌの棟方向端部から突出させると、横葺き金属屋根に化粧瓦棒２０が直接固定されるため、化粧瓦棒２０の取り付け状態が一層安定化する。
【００１８】
取付金具１０としても、化粧瓦棒２０の断面形状に応じて左右取付片１３Ｒ，１３Ｌの面積や開き具合を変えた金具が使用される。たとえば、右側壁２１Ｒと左右側壁２１Ｌとが互いに傾斜している断面将棋駒状の化粧瓦棒２０には、右側壁２１Ｒと左右側壁２１Ｌの傾斜角度に等しく取付片１３Ｒ，１３Ｌを傾斜させた取付金具１０（図７）が使用される。高さのある化粧瓦棒２０を使用する場合、化粧瓦棒２０の上部を内側から支持する機能を取付金具１０にもたせ、化粧瓦棒２０の保形を図ることができる。高さ調節具で化粧瓦棒２０の上部内面を支持することもできる。
【００１９】
【発明の効果】
以上に説明したように、棟側金属屋根板３０Ｕの軒側端面３５に固着される当接部１１から一対の取付片１３Ｒ，１３Ｌが棟側に延びた取付金具１０を介して化粧瓦棒２０を横葺き金属屋根に装着しているので、取付片１３Ｒ，１３Ｌの下端と棟側金属屋根板３０Ｕとの狭間隙で化粧瓦棒２０の着座部２２Ｒ，２２Ｌが挟持される。その結果、化粧瓦棒２０をガタツキなく取り付けることができ、化粧瓦棒２０でアクセントをつけた横葺き金属屋根が構築される。
【図面の簡単な説明】
【図１】取付金具の斜視図
【図２】化粧瓦棒の斜視図
【図３】化粧瓦棒を取り付けた横葺き金属屋根を軒側から見た断面図
【図４】化粧瓦棒を取り付けた横葺き金属屋根を横方向から見た断面図
【図５】化粧瓦棒を取り付けた横葺き金属屋根の斜視図
【図６】矩形状断面（ａ），将棋駒状断面（ｂ）をもつ化粧瓦棒及び着座部に段差をつけた化粧瓦棒２０（ｃ）
【図７】断面が将棋駒形状の化粧瓦棒に使用する取付金具の斜視図
【符号の説明】
１０：化粧瓦棒取付金具    １１：当接部    １２：差込片    １３Ｒ，１３Ｌ：取付片    １４：差込部    １５Ｒ，１５Ｌ：長孔    １６：マーク    １７Ｒ，１７Ｌ：水抜き孔    １８：防水接着テープ    １９：取付孔
２０：化粧瓦棒    ２１Ｒ，２１Ｌ：側壁    ２２Ｒ，２２Ｌ：着座部    ２３Ｒ，２３Ｌ：ボルト孔    ２４Ｒ，２４Ｌ：取付孔    ２６Ｒ，２６Ｌ：ブラインドリベット    ２７：補強下地
３０Ｕ：棟側金属屋根板    ３０Ｄ：軒側金属屋根板    ３１：係合部    ３２：係止部    ３３：野地板    ３４：下葺き材    ３５：軒側端面    ３６：ブラインドリベット    ３７：吊り子
Ｇ：隙間    Ｈ：棟側，軒側金属屋根板間の段差（取付金具の差込片から取付片までの高さ）
【図１】
2004197499.tif 000003
【図２】
2004197499.tif 000004
【図３】
2004197499.tif 000005
【図４】
2004197499.tif 000006
【図５】
2004197499.tif 000007
【図６】
2004197499.tif 000008
【図７】
2004197499.tif 000009